(57)【特許請求の範囲】
【請求項１】
送信データに応じた変調信号を生成させるための、変調信号生成デバイス（２、３）と、
上記の変調信号に応じて変調された制御信号により制御され、この変調信号に適した送信周波数（ｆＨＦ）を生成する送信周波数生成デバイス（９）と、
この送信周波数生成デバイス（９）に伝達される上記制御信号を測定するための測定デバイス（６）、および、上記測定デバイス（６）によって測定された上記制御信号から変調掃引値（ＭＨ）を算出する変調掃引算出デバイス（８）を有し、上記変調掃引値（ＭＨ）を用いて上記の変調信号を自動的に校正するための校正デバイス（５）とを備えた送信装置において、
上記制御信号は、上記変調信号生成デバイス（２，３）によって生成された上記変調信号と乗算器（１４）で乗算されることで上記変調信号に応じて変調され、上記乗算器（１４）で変調された上記制御信号が上記送信周波数生成デバイス（９）に入力され、
上記測定デバイス（６）は、上記制御信号を上記乗算器（１４）に入力される前に引き出して測定し、
上記変調掃引算出デバイス（８）が、上記変調掃引値（ＭＨ）を、上記送信周波数生成デバイス（９）の特性曲線のデジタル近似に基づいて算出するように設定されており、
上記変調信号生成デバイス（２，３）が、送信データ生成デバイス（２）、および、デジタル乗算器（３）またはイコライザーを備え、上記デジタル乗算器（３）または上記イコライザーが、上記送信データ生成デバイス（２）および上記変調掃引算出デバイス（８）と結合しており、この結合により、上記送信データ生成デバイス（２）が生成する上記送信データと上記変調掃引算出デバイス（８）が出力する上記変調掃引値（ＭＨ）とから上記変調信号が生成されることを特徴とする送信装置。
【請求項２】
上記送信周波数生成デバイス（９）に伝達される上記制御信号（ＴＳ）を測定するための上記測定デバイス（６）が、サンプルホールド増幅器を含んでいることを特徴とする請求項１に記載の送信装置。
【請求項３】
上記送信周波数生成デバイス（９）に伝達される上記制御信号（ＴＳ）を測定するための上記測定デバイス（６）が、アナログ増幅器（６）を含んでいることを特徴とする請求項１に記載の送信装置。
【請求項４】
上記送信周波数生成デバイス（９）用の上記制御信号（ＴＳ）を生成および調整するための位相同期ループ（１０〜１３）を備え、
この位相同期ループ（１０〜１３）が、
一方では上記送信周波数生成デバイス（９）によって生成される送信周波数（ｆＨＦ）、他方では基準周波数（ｆｒｅｆ）の伝達を受け、
さらに、上記送信周波数（ｆＨＦ）と上記基準周波数（ｆｒｅｆ）との位相差に応じた上記制御信号（ＴＳ）を生成することを特徴とする請求項１〜３のいずれかに記載の送信装置。
【請求項５】
上記位相同期ループ（１０〜１３）が、「分数Ｎシグマデルタ」位相同期ループの形態に設計されていることを特徴とする請求項４に記載の送信装置。
【請求項６】
請求項１〜５のいずれかに記載の送信装置を備えたことを特徴とする携帯無線送信機。
【発明の詳細な説明】
本発明は、請求項１の前提構成のような、送信データを搬送信号に変調する送信装置に関する。
【０００１】
送信データを搬送周波数に変調する送信装置（「送信機」）では、変調に使用できる変調掃引（Modulationshub）は限定されている。というのも、変調掃引に応じて送信帯幅が変化するからである。したがって、変調掃引については、確実に、常に一定の枠内において行う必要がある。
【０００２】
請求項１の前提構成のような周知の送信装置は、送信データに応じた変調信号を生成するためのデバイス、および、変調信号によって制御され、変調信号に適したＨＦ送信周波数を生成させるデバイスを含んでいる。後者のデバイスは、特に、電圧制御発振器（ＶＣＯ）を含んでいる。この電圧制御発振器に、位相同期ループ（ＰＬＬ）によって調整された制御信号（変調後の変調信号）が伝達される。また、電圧制御発振器で用いられる周波数を決定する構成要素（通常、コンデンサーダイオード）は、特定の製造誤差（Herstellungstoleranzen）の影響を受ける。そして、この製造誤差によって、電圧制御発振器の特性曲線（Kennlinien）またはそのスロープ（Steilheit）が±１００％の範囲で変動してしまう。
【０００３】
したがって、周知の送信装置では、その送信装置、または、送信装置を用いた機器（たとえば、携帯電話機）の製造中に、特に変調掃引を校正するための調整工程（Abgleichschritt）を一度だけ行うようになっている。この調整工程では、まず、送信装置における実際の変調掃引を測定し、その後、変調掃引を所望の値に調整する。また、このために、変調信号を、たとえばレーザー・トリミングあるいは設定可能な抵抗を用いて、また、ソフトウェアを用いてデジタル的に設定するようになっている。
【０００４】
この調整工程は、製造中に付加的に行われるが、相対的に時間および費用のかかるものである。
【０００５】
したがって、本発明の目的は、製造中における上記の調整工程を削減することの可能な送信装置を提案することにある。
【０００６】
そして、この目的は、本発明における請求項１の特徴を有する送信装置によって達成される。また、本発明の有利で好ましい実施形態については、従属請求項に明示している。
【０００７】
本発明の送信装置は、送信装置の稼働中に、変調信号を自動的かつ継続的に校正できる校正デバイス（Kalibriereinrichtung）を含んでいる。特に、この校正デバイスは、変調信号の振幅を継続的に整合できるように設定されている。
【０００８】
また、送信周波数を生成させるために、位相同期ループを備えた電圧制御発振器を用いることが好ましい。この場合、校正デバイスは、特に、位相同期ループによって電圧制御発振器に伝達される制御電圧を測定し、それに応じて、変調信号の変調掃引を設定するようになる。制御電圧の測定は、変調信号が制御信号に変調される前に行われることが好ましい。変調掃引については、たとえば、電圧制御発振器における特性曲線のデジタル近似によって確定できる。
【０００９】
本発明によって、これまで製造中に行う必要のあった調整工程は不要になる。というのも、本発明によって、変調信号および変調掃引を、稼動中に、自動的かつ継続的に校正するからである。さらに、このことにより、製造時間および製造費も削減することが可能となる。
【００１０】
なお、本発明は、アナログまたはデジタル変調を伴う送信装置に応用できるものである。特に、本発明は、たとえばＤＥＣＴまたはブルートゥース携帯無線送信機といった、携帯無線工学（Mobilfunktechnik）の分野で好適に使用できるものである。
【００１１】
次に、本発明を、有利な実施形態に基づく添付図面を参照しながら詳述する。
図１は、本発明の送信装置を簡略化して示すブロック図である。
図２は、電圧制御発振器のさまざまな特性曲線を示す図である。
【００１２】
図１に示された送信装置は、主に、送信データに応じた変調信号を生成するためのデジタル送信部１、変調信号に応じた高周波の送信周波数ｆHFを生成するための部分、および、変調信号を自動的に校正するための校正部５を含んでいる。
【００１３】
デジタル送信部１は、送信データに応じた変調信号を生成するためのデバイス２を含んでいる。この変調信号は、乗算器（Multiplizierer）３およびデジタル／アナログコンバーター（Ｄ／Ａコンバーター）４を介して、他の乗算器または変調器１４に伝達される。
【００１４】
高周波の送信周波数ｆHFは、位相同期ループ（ＰＬＬ）１０〜１３によって制御される電圧制御発振器（ＶＣＯ）９によって生成される。位相同期ループは、周波数分周器１０を備えている。この周波数分周器１０は、電圧制御発振器９によって生成される送信周波数ｆHFを、所定の分周比によって分周し、位相検波器１１に伝達するものである。さらに、位相検波器１１は、周波数分周器１０によって分周された周波数と比較するための基準周波数ｆrefを受信する。この比較結果に応じて、チャージポンプ１２用の制御信号が生成される。そして、このチャージポンプ１２から、ローパスフィルター１３を介して、電圧制御発振器９に適した調整電圧または同調電圧が出力される。このようにして、電圧制御発振器９から出力された送信周波数９は、周波数分周器１０の分周比を考慮されて、基準周波数ｆrefに調整される。なお、位相同期ループの形態は、本発明には何の影響も及ぼさない。たとえば、「従来の」位相同期ループであっても、また、「分数Ｎシグマデルタ」ＰＬＬの形態に設計された位相同期ループであっても用いることが可能である。
【００１５】
また、変調信号は、上述の変調器１４によって、電圧制御発振器９に伝達される同調電圧に変調される。
【００１６】
校正部５は、電圧制御発振器９の同調電圧を測定するためのデバイス６を含んでいる。このデバイス６は、たとえばサンプルホールド増幅器またはアナログ増幅器から構成できる。また、電圧制御発振器９の同調電圧は、変調信号が同調電圧に変調される前に測定されることが望ましい。
【００１７】
図１に示された実施形態とは違って、「クローズドループ」ではなく「オープンループ」で機能する送信装置を用いる場合、電圧制御発振器の同調電圧は、「オープンループ」に切り替えられる前に測定されることが好ましい。
【００１８】
このようにして測定されたアナログ同調電圧ＴＳは、Ａ／Ｄコンバーター７を介して、近似デバイス（Approximationseinrichtung）８に伝達される。続いて、この近似デバイス８は、電圧制御発振器９の特性曲線に関するデジタル近似計算（Approximation）を行う。これは、近似特性曲線（approximierte Kennlinie）に基づいて、必要な変調掃引ＭＨを算出するためである。また、デバイス２によって生成された変調信号の振幅は、乗算器３によって、変調掃引ＭＨの算出値を乗算される。これにより、変調信号の振幅を、稼動中に、自動的かつ継続的に校正できる。
【００１９】
変調掃引ＭＨに応じて変調信号の振幅を設定するために、乗算器３の代わりに、イコライザー等も使用できる。さらに、たとえば、デジタル・アルゴリズムによって整合される複数の（特に２つの）コンデンサーダイオードを有する位相同期ループにも、本発明を適用できる。コンデンサーダイオードは、周波数帯がより大きなときに特に有利に用いられる。
【００２０】
図２に、電圧制御発振器９の異なる特性曲線ＶＣＯ１・・・ＶＣＯ３を示す。各特性曲線は、電圧制御発振器９によって生成される送信周波数ｆHFにおける、同調電圧に対する依存性を示している。同調電圧の測定後にそれぞれの特性曲線の近似値を求めることによって、一定の送信周波数を生成するために必要な変調掃引ＭＨを簡単に算出できる。また、有用であれば、たとえば、複数の伝達チャネルを有する送信装置を備えている場合などでは、上記の近似値に、それぞれの特性曲線における多様な測定点を含ませてもよい。これに関し、図２の特性曲線ＶＣＯ１に、使用可能な２つの伝達チャネルＣＨ１およびＣＨ２と、それぞれに適した同調電圧の値Ｖ１およびＶ２とを示している。
【図面の簡単な説明】
【図１】  本発明の送信装置を簡略化して示すブロック図である。
【図２】  電圧制御発振器のさまざまな特性曲線を示す図である。
【図１】
0003889278.tif 000002
【図２】
0003889278.tif 000003